(57)【要約】【課題】  イエロー画像およびマゼンタ画像の定着を１種類の定着ランプで行うことで、装置本体を小型化し、且つ装置本体の保守管理にかかる手間を削減したフォトプリンタを提供する。【解決手段】  定着ランプ１３は、イエロー画像を定着する４１９ｎｍの波長の光、およびマゼンタ画像を定着する３６５ｎｍの波長の光を発する。フォトプリンタ１は、イエロー画像を定着するときには、ロール紙１１と定着ランプ１３との間に３６５ｎｍの波長の光を遮光する遮光フィルタ１６を位置させ、ロール紙１１が３６５ｎｍの波長の光で露光されるのを防止する。また、マゼンタ画像を定着するときには、ロール紙１１と定着ランプ１３との間に３６５ｎｍの波長の光を遮光する遮光フィルタ１６を位置させない。【選択図】  図２
2005224952.tif 000002
【特許請求の範囲】
【請求項１】
給紙部にセットされた、イエロー、マゼンタ、シアンの感熱発色層を形成したロール紙を搬送路に沿って搬送する搬送手段と、
前記搬送手段が搬送路に沿って搬送しているロール紙に対して、このロール紙の搬送方向に沿って配置したサーマルヘッド、および定着ランプを用いて、本体に入力されたカラー画像を印刷する印刷手段と、を備え、
前記印刷手段は、前記搬送手段によりロール紙を搬送路に沿って搬送し、前記サーマルヘッドによる感熱温度を第１の温度にして、このロール紙のイエローの感熱発色層にイエロー画像を印画する第１の工程、
前記搬送手段によりロール紙を搬送路に沿って搬送し、前記第１の工程でイエロー画像を印画した印画領域を前記定着ランプの露光領域で露光する第２の工程、
前記搬送手段によりロール紙を搬送路に沿って搬送し、前記サーマルヘッドによる感熱温度を前記第１の温度よりも高温の第２の温度にして、このロール紙の前記第１の工程でイエロー画像を印画した印画領域のマゼンタの感熱発色層にマゼンタ画像を重ねて印画する第３の工程、
前記搬送手段によりロール紙を搬送路に沿って搬送し、前記第３の工程でマゼンタ画像を印画した印画領域を前記定着ランプの露光領域で露光する第４の工程、および、
前記搬送手段によりロール紙を搬送路に沿って搬送し、前記サーマルヘッドによる感熱温度を前記第２の温度よりも高温の第３の温度にして、このロール紙の前記第１の工程、第３の工程でイエロー画像、マゼンタ画像を重ねて印画した印画領域のシアンの感熱発色層にシアン画像を重ねて印画する第５の工程を実行するフォトプリンタにおいて、
前記定着ランプは、前記イエロー画像、およびマゼンタ画像を定着させる２種類の波長の光を発する定着ランプであり、
前記第２の工程で前記イエロー画像を定着するとき、前記定着ランプとロール紙との間にマゼンタ画像を定着する波長の光をカットする遮光フィルタを位置させるとともに、今回カラー画像の印刷に使用しないロール紙の未使用領域が前記定着ランプの露光領域を通過するとき、この未使用領域と前記定着ランプとの間に前記定着ランプが発する光を遮光するシャッタを位置させる露光制限手段を備え、
さらに、前記印刷手段は、前記第２の工程で前記イエロー画像の定着を開始するときに前記定着ランプを点灯し、前記第４の工程で前記マゼンタ画像の定着を完了するまで前記定着ランプの点灯状態を保持するフォトプリンタ。
【請求項２】
給紙部にセットされた、イエロー、マゼンタ、シアンの感熱発色層を形成したロール紙を搬送路に沿って搬送する搬送手段と、
前記搬送手段が搬送路に沿って搬送しているロール紙に対して、このロール紙の搬送方向に沿って配置したサーマルヘッド、および定着ランプを用いて、本体に入力されたカラー画像を印刷する印刷手段と、を備え、
前記印刷手段は、前記搬送手段によりロール紙を搬送路に沿って搬送し、前記サーマルヘッドによる感熱温度を第１の温度にして、このロール紙のイエローの感熱発色層にイエロー画像を印画する第１の工程、
前記搬送手段によりロール紙を搬送路に沿って搬送し、前記第１の工程でイエロー画像を印画した印画領域を前記定着ランプの露光領域で露光する第２の工程、
前記搬送手段によりロール紙を搬送路に沿って搬送し、前記サーマルヘッドによる感熱温度を前記第１の温度よりも高温の第２の温度にして、このロール紙の前記第１の工程でイエロー画像を印画した印画領域のマゼンタの感熱発色層にマゼンタ画像を重ねて印画する第３の工程、
前記搬送手段によりロール紙を搬送路に沿って搬送し、前記第３の工程でマゼンタ画像を印画した印画領域を前記定着ランプの露光領域で露光する第４の工程、および、
前記搬送手段によりロール紙を搬送路に沿って搬送し、前記サーマルヘッドによる感熱温度を前記第２の温度よりも高温の第３の温度にして、このロール紙の前記第１の工程、第３の工程でイエロー画像、マゼンタ画像を重ねて印画した印画領域のシアンの感熱発色層にシアン画像を重ねて印画する第５の工程を実行するフォトプリンタにおいて、
前記定着ランプは、前記イエロー画像、およびマゼンタ画像を定着させる２種類の波長の光を発する定着ランプであり、
前記第２の工程で前記イエロー画像を定着するとき、前記定着ランプとロール紙との間にマゼンタ画像を定着する波長の光をカットする遮光フィルタを位置させる露光制限手段を備えたフォトプリンタ。
【請求項３】
前記印刷手段は、前記第２の工程で前記イエロー画像の定着を開始するときに前記定着ランプを点灯し、前記第４の工程で前記マゼンタ画像の定着を完了するまで前記定着ランプの点灯状態を保持する請求項２に記載のフォトプリンタ。
【請求項４】
前記露光制限手段は、今回カラー画像の印刷に使用しないロール紙の未使用領域が前記定着ランプの露光領域を通過するとき、この未使用領域と前記定着ランプとの間に前記定着ランプが発する光を遮光するシャッタを位置させる請求項２、または３に記載のフォトプリンタ。
【発明の詳細な説明】
【技術分野】
【０００１】
この発明は、イエロー、マゼンダ、シアンの感熱発色層が形成されたロール紙にカラー画像を印刷するフォトプリンタに関する。
【背景技術】
【０００２】
従来、イエロー、マゼンタ、シアンの感熱発色層が形成されたロール紙にカラー画像を印刷するフォトプリンタがあった。カラー画像の印刷工程は、以下の（１）〜（６）である。
（１）サーマルヘッドによる感熱温度を第１の温度（マゼンタ、およびシアンの感熱発色層が発色しない温度）にして、ロール紙のイエローの感熱発色層にイエロー画像を印画する。
（２）（１）の工程でイエロー画像を印画した領域を、４１９ｎｍの光を発するイエロー用定着ランプで露光し、印画したイエロー画像を定着する。
（３）サーマルヘッドによる感熱温度を第２の温度（シアンの感熱発色層が発色しない温度）にして、（１）の工程でイエロー画像を印画した領域のマゼンタの感熱発色層にマゼンタ画像を印画する。
（４）（３）の工程でマゼンタ画像を印画した領域を、３６５ｎｍの光を発するマゼンタ用定着ランプで露光し、印画したマゼンタ画像を定着する。
（５）サーマルヘッドによる感熱温度を第２の温度よりも高温の第３の温度にして、（１）、（３）の工程でイエロー画像、マゼンタ画像を印画した領域のシアンの感熱発色層にシアン画像を印画する。
（６）イエロ、マゼンタ、シアンの各画像を重ねて印画した領域、すなわち今回カラー画像を印刷した印刷領域、をロール紙から切り離して排紙する。
【０００３】
従来の一般的なフォトプリンタは、イエロー用定着ランプ、およびマゼンタ用定着ランプの２種類の定着ランプをロール紙の搬送方向に並べて配置した構成であった。この構成では、２種類の定着ランプを配置するスペースをロール紙の搬送方向に確保しなければならず、本体がロール紙の搬送方向に長く、大型であるという問題があった。そこで、ロール紙のカラー画像の印刷面に対して垂直方向に２種類の定着ランプを並べて配置したランプハウスを設け、このランプハウスを回転させることで、ロール紙のカラー画像の印刷面に対向する定着ランプ（ロール紙を露光する定着ランプ）を切り替える構成を採用することで、定着ランプの配置に必要なロール紙の搬送方向のスペースを抑えたフォトプリンタが特許文献１で提案されている。
【特許文献１】特開平１０−２９３２８号公報
【発明の開示】
【発明が解決しようとする課題】
【０００４】
しかしながら、特許文献１で提案されている構成も、イエロー用定着ランプ、およびマゼンタ用定着ランプの２種類の定着ランプを配置するスペースが本体内部に必要であり、装置本体が大型であった。また、ユーザは２種類の定着ランプの劣化状況を個別に管理し、交換等を含めた装置の保守管理を行わなければならず、装置本体の保守管理に手間がかかるという問題があった。
【０００５】
この発明の目的は、イエロー画像およびマゼンタ画像の定着を１種類の定着ランプで行うことで、装置本体を小型化し、且つ装置本体の保守管理にかかる手間を削減したフォトプリンタを提供することにある。
【課題を解決するための手段】
【０００６】
この発明のフォトプリンタは、上記課題を解決するために、以下の構成を備えている。
【０００７】
（１）給紙部にセットされた、イエロー、マゼンタ、シアンの感熱発色層を形成したロール紙を搬送路に沿って搬送する搬送手段と、
前記搬送手段が搬送路に沿って搬送しているロール紙に対して、このロール紙の搬送方向に沿って配置したサーマルヘッド、および定着ランプを用いて、本体に入力されたカラー画像を印刷する印刷手段と、を備え、
前記印刷手段は、前記搬送手段によりロール紙を搬送路に沿って搬送し、前記サーマルヘッドによる感熱温度を第１の温度にして、このロール紙のイエローの感熱発色層にイエロー画像を印画する第１の工程、
前記搬送手段によりロール紙を搬送路に沿って搬送し、前記第１の工程でイエロー画像を印画した印画領域を前記定着ランプの露光領域で露光する第２の工程、
前記搬送手段によりロール紙を搬送路に沿って搬送し、前記サーマルヘッドによる感熱温度を前記第１の温度よりも高温の第２の温度にして、このロール紙の前記第１の工程でイエロー画像を印画した印画領域のマゼンタの感熱発色層にマゼンタ画像を重ねて印画する第３の工程、
前記搬送手段によりロール紙を搬送路に沿って搬送し、前記第３の工程でマゼンタ画像を印画した印画領域を前記定着ランプの露光領域で露光する第４の工程、および、
前記搬送手段によりロール紙を搬送路に沿って搬送し、前記サーマルヘッドによる感熱温度を前記第２の温度よりも高温の第３の温度にして、このロール紙の前記第１の工程、第３の工程でイエロー画像、マゼンタ画像を重ねて印画した印画領域のシアンの感熱発色層にシアン画像を重ねて印画する第５の工程を実行するフォトプリンタにおいて、
前記定着ランプは、前記イエロー画像、およびマゼンタ画像を定着させる２種類の波長の光を発する定着ランプであり、
前記第２の工程で前記イエロー画像を定着するとき、前記定着ランプとロール紙との間にマゼンタ画像を定着する波長の光をカットする遮光フィルタを位置させる露光制限手段を備えている。
【０００８】
この構成では、定着ランプがイエロ画像を定着させる波長の光と、マゼンタ画像を定着させる波長の光を発する。イエロ画像の定着時においては、露光制限手段がマゼンタ画像を定着させる波長の光をカットする遮光フィルタを定着ランプとロール紙との間に位置させる。したがって、イエロー画像の定着時に、マゼンタ画像を定着させる波長の光でロール紙を露光し、マゼンタの感熱発色層の発色特性を低下させることがない。
【０００９】
なお、マゼンタ画像の定着時には、定着ランプとロール紙との間に遮光フィルタを位置させずに露光を行うので、ロール紙がマゼンタ画像を定着させる波長の光だけでなく、イエロー画像を定着させる波長の光にも露光されることになるが、このときには既にイエロー画像の印画、および定着が完了しているので、このことによって何ら問題が生じることはない。
【００１０】
このように、イエロー画像、およびマゼンタ画像の定着を１種類の定着ランプで行うので、装置本体における定着ランプの配置に必要なスペースを低減でき、その結果、装置本体の小型にできる。また、交換等を含めた定着ランプの保守管理にかかるユーザの手間も低減することができ、ユーザの使い勝手の向上が図れる。さらに、定着ランプの点灯回路も１つでよいので、装置本体のコストダウンが図れる。
【００１１】
（２）前記印刷手段は、前記第２の工程で前記イエロー画像の定着を開始するときに前記定着ランプを点灯し、前記第４の工程で前記マゼンタ画像の定着を完了するまで前記定着ランプの点灯状態を保持する。
【００１２】
この構成では、定着ランプを点灯させる点灯回数を抑えることができる。定着ランプは、点灯中にかかる負荷よりも、点灯させるときにかかる負荷が極めて大きい。このように、定着ランプを点灯させる点灯回数を抑えたので、定着ランプの寿命を伸ばし、定着ランプの交換にかかる費用を低減できる。
【００１３】
（３）前記露光制限手段は、今回カラー画像の印刷に使用しないロール紙の未使用領域が前記定着ランプの露光領域を通過するとき、この未使用領域と前記定着ランプとの間に前記定着ランプが発する光を遮光するシャッタを位置させる。
【００１４】
この構成では、ロール紙において、定着ランプによる露光が原因で発色特性が低下し、カラー画像の印刷に使用することなく破棄する部分が生じるのを防止できる。したがって、ロール紙をカラー画像の印刷に有効に使用できる。
【発明の効果】
【００１５】
この発明によれば、イエロー画像、およびマゼンタ画像の定着を１種類の定着ランプで行うので、装置本体における定着ランプの配置に必要なスペースを低減でき、その結果、装置本体の小型にできる。また、交換等を含めた定着ランプの保守管理にかかるユーザの手間も低減することができ、ユーザの使い勝手の向上が図れる。さらに、定着ランプの点灯回路も１つでよいので、装置本体のコストダウンが図れる。
【発明を実施するための最良の形態】
【００１６】
以下、この発明の実施形態であるフォトプリンタについて説明する。
【００１７】
図１は、この発明の実施形態であるフォトプリンタの構成を示す図である。フォトプリンタ１は、本体の動作を制御する制御部２と、印刷するカラー画像の入力を受け付ける印刷画像入力部３と、本体にセットされているロール紙を搬送する搬送部４と、本体にセットされているロール紙にカラー画像を印刷する印刷部５と、定着ランプによるロール紙の露光を制限する露光制限部６と、を備えている。印刷画像入力部３は、パーソナルコンピュータ等の外部機器から送られてきた画像を印刷画像として受け付ける構成であってもよいし、セットされたメモリカード等の記憶媒体に記憶されている画像を印刷画像として読み出す構成であってもよい。搬送部４は、ロール紙を排紙側、および給紙側の両方向に搬送できる。
【００１８】
図２は、この実施形態のフォトプリンタにおける印刷部、および露光制限部を示す図である。図２において、１１は給紙部にセットされたロール紙である。ロール紙１１は、イエロー、マゼンダ、シアンの感熱発色層が形成された、所謂ＴＡペーパである。１２はロール紙１１のイエロー、マゼンダ、シアンの感熱発色層毎に感熱温度を変えて感熱記録を行うサーマルヘッド、１３はイエローの感熱発色層に印画されたイエロー画像、およびマゼンタの感熱発色層に印画されたマゼンタ画像を定着させる定着ランプである。図示していないが、プラテンローラがロール紙１１を挟んでサーマルヘッド１２に対向配置されている。定着ランプ１３は、イエロー画像を定着させる４１９ｎｍの波長の光、およびマゼンタ画像を定着させる３６５ｎｍの波長の光を発する蛍光管であり、下面および側面を囲むリフレクタ１４に収納されている。
【００１９】
１５は定着ランプ１３が発する２波長の光を遮光するシャッタであり、１６は定着ランプ１３が発する３６５ｎｍの波長の光を遮光し、４１９ｎｍの波長の光を透過する遮光フィルタである。遮光フィルタ１６は、例えば３９０ｎｍ以下の波長の光を遮光するフィルタである。シャッタ１５、および遮光フィルタ１６は、リフレクタ１４の上面よりも少し大きいサイズであり、それぞれリフレクタ１４の上面を完全に覆った位置（図２（Ａ）に示す位置）と、リフレクタ１４の上面を全く覆っていないロール紙１１側の位置（図２（Ｂ）に示す位置）と、の間で移動自在に取り付けられている。露光制限部６は、シャッタ１５、および遮光フィルタ１６を個別に移動し、定着ランプ１３によるロール紙１１の露光を制限する。１７は、ロール紙１１をカットするカッタである。カッタ１７は、ロール紙１１の幅方向（紙面に対して垂直方向）に移動し、ロール紙１１をカットする。２０、２１は、排紙ローラである。
【００２０】
なお、図２においては、ロール紙１１を搬送する搬送ローラについては図示を省略しているが、上述のように搬送部４はロール紙１１を排紙側、および給紙側の両方向に搬送できるように構成されている。また、図２では、遮光フィルタ１６よりもシャッタ１５をロール紙１１側に位置させた例を示しているが、遮光フィルタ１６をロール紙１１側に位置させてよい（シャッタ１５と遮光フィルタ１６の上下方向の位置関係を逆にしてもよい。）。
【００２１】
次に、この実施形態のフォトプリンタ１における入力されたカラー画像の印刷にかかる動作について説明する。フォトプリンタ１は、カラー画像の印刷を行っていない待機時、図３（Ａ）に示すようにロール紙１１を巻き取った状態である。また、図３（Ａ）では、シャッタ１５および遮光フィルタ１６を、リフレクタ１４の上面を完全に覆った位置に示しているが、シャッタ１５および遮光フィルタ１６の位置はこの位置でなくてもよい。
【００２２】
フォトプリンタ１は、印刷画像入力部３において印刷するカラー画像の入力を受け付けると、ロール紙１１を画像形成位置まで繰り出し、ロール紙１１の搬送を停止する（図３（Ｂ）参照）。フォトプリンタ１は、搬送部４によるロール１１の繰り出しを開始すると、搬送路に設けた図示していない先端検知センサによりロール紙１１の先端を検知し、ここで検知した先端位置を基準にして、ロール紙１１を画像形成位置まで繰り出す。この画像形成位置は、今回カラー画像を印刷するロール紙１１の後端部（印刷領域後端部）がサーマルヘッド１２よりも排紙側に位置するところである。
【００２３】
なお、このとき定着ランプ１３は点灯しておらず、シャッタ１５、および遮光フィルタ１６の位置は特に制限されておらず、図３（Ｂ）に示すようにリフレクタ１４の上面を完全に覆った位置であってもよいし、全く覆っていない位置であってもよい。
【００２４】
次に、フォトプリンタ１は、サーマルヘッド１２による感熱温度をイエローの感熱発色層にイエロー画像を印画する第１の温度（マゼンタ、およびシアンの感熱発色層が発色しない温度）にして、ロール紙１１を給紙側に引き戻しながらイエローの感熱発色層にイエロー画像を印画する（図３（Ｃ）参照）。フォトプリンタ１は、イエロー画像の印画が完了すると、ロール紙１１の搬送を停止する（図４（Ａ）参照）。また、フォトプリンタ１は、このイエロー画像の印画を実行しているときに、シャッタ１５をリフレクタ１４の上面を全く覆っていない位置に移動させ、且つ遮光フィルタ１６をリフレクタ１４の上面を完全に覆った位置に移動させている。
【００２５】
フォトプリンタ１は、イエロー画像の印画が完了すると、定着ランプ１３を点灯させ、ロール紙１１を排紙側に繰り出し（図４（Ｂ）参照）、このイエロー画像の定着を開始する。このとき、シャッタ１５はリフレクタ１４の上面を全く覆っていない位置にあり、遮光フィルタ１６はリフレクタ１４の上面を完全に覆った位置にある。ロール紙１１は、リフレクタ１４の上面に位置する部分が定着ランプ１３により露光される。このとき、定着ランプ１３とロール紙１１との間に遮光フィルタ１６を位置させているので、ロール紙１１をマゼンタ画像を定着させる３６５ｎｍの波長の光で露光し、マゼンタの感熱発色層の発色特性を低下させることはない。
【００２６】
フォトプリンタ１は、ロール紙１１の印刷領域後端部がリフレクタの上面を全く覆っていないシャッタ１５の排紙側の端部に達すると（図４（Ｃ）参照）、シャッタ１５をロール紙１１の搬送速度と同じ速度で排紙側に移動させる（図５（Ａ）参照）。これにより、今回イエロー画像を印画していない部分がリフレクタ１４の上面を通過するときに、イエロー画像を定着する４１９ｎｍの波長の光で露光されることがなく、今回のカラー画像の印刷に使用していない未使用領域における、イエロの感熱発色層の発色特性を低下させることはない。
【００２７】
フォトプリンタ１は、ロール紙１１の印刷領域後端部がリフレクタ１４の排紙側の端部に達すると（図５（Ｂ）参照）、ロール紙１１の繰り出しを停止する。これにより、今回イエロー画像を印画した領域全体がリフレクタ１４の上面を通過し、印画したイエロー画像の定着が完了する。フォトプリンタ１は、イエロ画像の定着が完了しても定着ランプ１３を消灯しない。フォトプリンタ１は、サーマルヘッド１２による感熱温度をマゼンタの感熱発色層にマゼンタ画像を印画する第２の温度（シアンの感熱発色層が発色しない温度）にして、ロール紙１１を給紙側に引き戻しながらイエロー画像を定着した領域に、マゼンタ画像を重ね合わせて印画する（図５（Ｃ）参照）。フォトプリンタ１は、ロール紙１１の先端がシャッタ１５の排紙側の先端に達すると（図６（Ａ）参照）、シャッタ１５、および遮光フィルタ１６をロール紙１１の搬送速度と同じ速度で排紙側に移動させながら（図６（Ｂ）参照）、マゼンタ画像を印画を行う。フォトプリンタ１は、マゼンタ画像の印画が完了すると、ロール紙１１の搬送を停止する（図６（Ｃ）参照）。このマゼンタ画像の印画が完了したとき、シャッタ１５および遮光フィルタ１６は、図６（Ｃ）に示すように、リフレクタ１４の上面を全く覆っていない位置に移動している。また、定着ランプ１３は点灯している。
【００２８】
フォトプリンタ１は、マゼンタ画像の印画が完了すると、ロール紙１１を排紙側に繰り出し（図７（Ａ）参照）、このマゼンタ画像の定着を開始する。このとき、フォトプリンタ１は、シャッタ１５、および遮光フィルタ１６をリフレクタ１４の上面を全く覆っていない位置から移動させない。ロール紙１１は、リフレクタ１４の上面に位置する部分が定着ランプ１３により露光される。このとき、遮光フィルタ１６を定着ランプ１３とロール紙１１との間に位置させていないで、定着ランプ１３が発するイエロー画像を定着させる４１９ｎｍの波長の光と、マゼンタ画像を定着させる３６５ｎｍの波長の光とで、ロール紙１１が露光される。しかし、今回露光される領域については、すでにイエロ画像の印画、定着にかかる処理が完了した領域であるので、何ら問題は生じない。また、今回の露光により、印画されたマゼンタ画像が定着される。
【００２９】
フォトプリンタ１は、ロール紙１１の印刷領域後端部がリフレクタの上面を全く覆っていないシャッタ１５の排紙側の端部に達すると（図７（Ｂ）参照）、シャッタ１５をロール紙１１の搬送速度と同じ速度で排紙側に移動させる（図７（Ｃ）参照）。これにより、今回イエロー画像、およびマゼンタ画像を印画していない部分がリフレクタ１４の上面を通過するときに、イエロー画像を定着する４１９ｎｍの波長の光、およびマゼンタ画像を定着する３６５ｎｍの波長の光で露光されることがなく、今回のカラー画像の印刷に使用していない未使用領域における、イエロ、およびマゼンタの感熱発色層の発色特性を低下させることはない。
【００３０】
フォトプリンタ１は、ロール紙１１の印刷領域後端部がリフレクタ１４の排紙側の端部に達すると（図８（Ａ）参照）、ロール紙１１の繰り出しを停止する。これにより、今回マゼンタ画像を印画した領域全体がリフレクタ１４の上面を通過し、印画したマゼンタ画像の定着が完了する。フォトプリンタ１は、マゼンタ画像の定着が完了すると定着ランプ１３を消灯する（図８（Ｂ）参照）。フォトプリンタ１は、サーマルヘッド１２による感熱温度をシアンの感熱発色層にシアン画像を印画する第３の温度にして、ロール紙１１を給紙側に引き戻しながらイエロー画像、およびマゼンタ画像を定着した領域に、シアン画像を重ね合わせて印画する（図８（Ｃ）参照）。フォトプリンタ１は、シアン画像の印画が完了すると、ロール紙１１の搬送を停止する（図９（Ａ）参照）。このシアン画像の印画時においては、シャッタ１５および遮光フィルタ１６を移動させない。
【００３１】
フォトプリンタ１は、シアン画像の印画完了すると、ロール紙１１を排紙側に繰り出し、印刷領域項端部をカッタ１７によるカット位置に位置させ（図９（Ｂ）参照）、今回カラー画像を印刷した領域をロール紙１１から切り離し、排紙する。そして、ロール紙１１を給紙側に巻き戻し（図９（Ｃ）参照）、カラー画像の印刷を完了する。
【００３２】
このように、この実施形態のフォトプリンタ１は、１種類の定着ランプ１３でイエロー画像、およびマゼンタ画像の定着を行うので、装置本体における定着ランプ１３の配置に必要なスペースを低減でき、その結果、装置本体の小型にできる。また、交換等を含めた定着ランプ１３の保守管理にかかるユーザの手間も低減することができ、ユーザの使い勝手の向上が図れる。さらに、定着ランプの点灯回路も１つでよいので、装置本体のコストダウンが図れる。
【００３３】
また、カラー画像の印刷工程において、定着ランプ１３を点灯させる回数を１回にしたので、定着ランプ１３にかかる点灯時の負荷を抑え、定着ランプ１３の寿命を伸ばすことができる。これにより、ランニングコストの低減が図れる。
【００３４】
さらに、今回カラー画像の印刷に使用していない未使用領域が、定着ランプ１３で露光されるのをシャッタ１５の移動制御により防止したので、ロール紙１１を無駄なく、有効に使用できる。
【図面の簡単な説明】
【００３５】
【図１】この発明の実施形態であるフォトプリンタの構成を示す図である。
【図２】この発明の実施形態であるフォトプリンタの印刷部を示す図である。
【図３】この発明の実施形態であるフォトプリンタにおける印刷工程を説明する図である。
【図４】この発明の実施形態であるフォトプリンタにおける印刷工程を説明する図である。
【図５】この発明の実施形態であるフォトプリンタにおける印刷工程を説明する図である。
【図６】この発明の実施形態であるフォトプリンタにおける印刷工程を説明する図である。
【図７】この発明の実施形態であるフォトプリンタにおける印刷工程を説明する図である。
【図８】この発明の実施形態であるフォトプリンタにおける印刷工程を説明する図である。
【図９】この発明の実施形態であるフォトプリンタにおける印刷工程を説明する図である。
【符号の説明】
【００３６】
１−フォトプリンタ
２−制御部
３−印刷画像入力部
４−搬送部
５−印刷部
１１−ロール紙
１２−サーマルヘッド
１３−定着ランプ
１４−リフレクタ
１５−シャッタ
１６−遮光フィルタ
【図１】
2005224952.tif 000003
【図２】
2005224952.tif 000004
【図３】
2005224952.tif 000005
【図４】
2005224952.tif 000006
【図５】
2005224952.tif 000007
【図６】
2005224952.tif 000008
【図７】
2005224952.tif 000009
【図８】
2005224952.tif 000010
【図９】
2005224952.tif 000011